(57)【要約】【課題】ベッド装置のマットレスは、長期に亘って使用しているうちに臭い成分が付着して不快に感じる。また、マットレス上に複数のエアーバッグを有するエアーマッサージ用マットを敷いた場合、単一の空気吸排気装置によって、マットレスの脱臭と共に、エアーバッグの膨張収縮を行なう新規なエアーマッサージ装置を提供する。【解決手段】ベッド用のマットレス内に組み込まれマットレス内の空間の空気を吸排気するエアーマッサージ装置兼用の空気吸排気装置を備え、空気吸排気装置は、マットレス内の空間の空気を吸い込んで圧縮する空気圧縮部と、この空気圧縮部で圧縮した空気を消音器を通して空気送出部からマットレス内の空間へ供給する空気通路を備え、消音器にプラズマ放電にて臭気成分を電気化学的に分解する高電圧放電電極を収納したこと。【選択図】図１
2009279307.tif 000002
【特許請求の範囲】
【請求項１】
ベッド用のマットレス内に組み込まれ前記マットレス内の空間の空気を吸排気する空気
吸排気装置を備え、前記空気吸排気装置は、前記マットレス内の空間の空気を吸い込んで
圧縮する空気圧縮部と、この空気圧縮部で圧縮した空気を消音器を通して空気送出部から
前記マットレス内の空間へ供給する空気通路を備え、前記消音器にはプラズマ放電によっ
て臭気成分を電気化学的に分解する高電圧放電電極を収納したことを特徴とするベッド装
置。
【請求項２】
ベッド用のマットレスと、前記マットレスの上に敷かれるマットを備え、前記マットレ
ス内の空間の空気を吸排気する空気吸排気装置を備え、前記マットは前記空気吸排気装置
の動作によって膨張収縮する複数のエアーバッグが並列配置され、前記空気吸排気装置は
、前記マットレス内の空間の空気を吸い込んで圧縮する空気圧縮部と、この空気圧縮部で
圧縮した空気を消音器を通して空気送出部へ供給する空気通路を備え、前記空気送出部は
、前記複数のエアーバッグへ圧縮空気を分配する空気分配部と、前記空気圧縮部で圧縮し
た空気を前記空気分配部を通して前記複数のエアーバッグに選択的に供給しまた前記複数
のエアーバッグから選択的に排気する切り替えバルブ機能部と、前記空気圧縮部の作動と
前記切り替えバルブ機能部の作動を制御する制御部を備え、前記消音器にはプラズマ放電
によって臭気成分を電気化学的に分解する高電圧放電電極が収納され、前記空気吸排気装
置の動作によって、前記複数のエアーバッグの膨張収縮作用と前記マットレス内の空気の
脱臭作用とが共に動作状態にある第１モードと、前記複数のエアーバッグの膨張収縮作用
を休止して前記マットレス内の空気の脱臭作用のみを行なう第２モードを備えたことを特
徴とするベッド装置。
【発明の詳細な説明】
【技術分野】
【０００１】
本発明は、マットレス内の空間の空気を吸排気する空気吸排気装置を備えたベッド装置
に関する。また、本発明は、ベッド装置のマットレス上に複数のエアーバッグが並列配置
されたエアーマッサージ用マットを敷いたベッド装置に関する。
【背景技術】
【０００２】
複数のエアーバッグが並列配置されたマットの前記エアーバッグに空気を吸排気する空
気吸排気装置を備え、前記空気吸排気装置の動作による前記エアーバッグの膨張収縮によ
って、前記マット上に横たわった人体のマッサージを行なうエアーマッサージ装置がある
。（特許文献１参照）。
【特許文献１】特開２００６−８７８２０号公報
【発明の開示】
【発明が解決しようとする課題】
【０００３】
ベッド装置のマットレスは、長期に亘って使用しているうちに臭い成分が付着して不快
に感じることがある。本発明では、マットレス内の空間の空気を吸排気する空気吸排気装
置を設け、この空気吸排気装置に、臭い成分を高電圧放電によって電気化学的に分解する
脱臭機能を備えることにより、マットレスの脱臭を行なうものである。
【０００４】
一般に、臭い成分を高電圧放電によって電気化学的に分解することは、例えば、特開２
００３−１４７８２８号公報や特開平８−２６６８５４号公報等によって周知であるが、
本発明は、脱臭機能部を空気吸排気装置の特定部分に適用することによって、空気吸排気
装置の安定した吸排気動作を維持すると共に、装置の小型化とコストダウンを図り、快適
にマットレスを使用できるようにするものである。
【０００５】
また、本発明は、マットレス上に複数のエアーバッグが並列配置されたエアーマッサー
ジ用マットを敷いたベッド装置とし、脱臭機能部を空気吸排気装置の特定部分に適用した
単一の空気吸排気装置を採用して、マットレスの脱臭を行なうと共に、エアーバッグの膨
張収縮によってマットレス上に横たわった人体のマッサージを行なう新規なエアーマッサ
ージ装置付きベッド装置を提供するものであり、それによって、空気吸排気装置の安定し
た吸排気動作の維持と共に、装置の小型化とコストダウンを図ることができる新規なエア
ーマッサージ機能を備えたベッド装置を提供するものである。
【課題を解決するための手段】
【０００６】
第１の発明は、ベッド用のマットレス内に組み込まれ前記マットレス内の空間の空気を
吸排気する空気吸排気装置を備え、前記空気吸排気装置は、前記マットレス内の空間の空
気を吸い込んで圧縮する空気圧縮部と、この空気圧縮部で圧縮した空気を消音器を通して
空気送出部から前記マットレス内の空間へ供給する空気通路を備え、前記消音器にはプラ
ズマ放電によって臭気成分を電気化学的に分解する高電圧放電電極を収納したことを特徴
とする。
【０００７】
第２の発明は、ベッド用のマットレスと、前記マットレスの上に敷かれるマットを備え
、前記マットレス内の空間の空気を吸排気する空気吸排気装置を備え、前記マットは前記
空気吸排気装置の動作によって膨張収縮する複数のエアーバッグが並列配置され、前記空
気吸排気装置は、前記マットレス内の空間の空気を吸い込んで圧縮する空気圧縮部と、こ
の空気圧縮部で圧縮した空気を消音器を通して空気送出部へ供給する空気通路を備え、前
記空気送出部は、前記複数のエアーバッグへ圧縮空気を分配する空気分配部と、前記空気
圧縮部で圧縮した空気を前記空気分配部を通して前記複数のエアーバッグに選択的に供給
しまた前記複数のエアーバッグから選択的に排気する切り替えバルブ機能部と、前記空気
圧縮部の作動と前記切り替えバルブ機能部の作動を制御する制御部を備え、前記消音器に
はプラズマ放電によって臭気成分を電気化学的に分解する高電圧放電電極が収納され、前
記空気吸排気装置の動作によって、前記複数のエアーバッグの膨張収縮作用と、前記マッ
トレス内の空気の脱臭作用とが共に動作状態にある第１モードと、前記複数のエアーバッ
グの膨張収縮作用を休止して前記マットレス内の空気の脱臭作用のみを行なう第２モード
を備えたことを特徴とする。
【発明の効果】
【０００８】
第１発明では、消音器にプラズマ放電によって臭気成分を電気化学的に分解する高電圧
放電電極を収納したことにより、マットレス内の空間の空気脱臭によって、マットレスの
脱臭が行なえるため、快適なマットレス状態に維持できる。また、消音器を利用すること
により、別個に高電圧放電部を設ける場合に比して、装置の小型化とコストダウンを図る
ことができ、空気吸排気装置の安定した動作も維持できるものとなる。
【０００９】
第２発明では、第１発明の効果に加えて、単一の空気吸排気装置によって、エアーバッ
グの膨張収縮作用と、マットレス内の空気の脱臭作用とが共に動作状態にあるモードと記
エアーバッグの膨張収縮作用を休止してマットレス内の空気の脱臭作用のみを行なうモー
ドとが選択可能となり、使用性が向上した新規のベッド装置を提供できる。また、エアー
バッグの膨張収縮作用と、マットレス内の空気の脱臭作用とが、単一の空気吸排気装置に
よって行なわれるため、ベッド装置の小型化とコスト抑制効果が得られる。
【発明を実施するための最良の形態】
【００１０】
本発明のベッド装置は、ベッド用のマットレス内に組み込まれ前記マットレス内の空間
の空気を吸排気する空気吸排気装置を備え、前記空気吸排気装置は、前記マットレス内の
空間の空気を吸い込んで圧縮する空気圧縮部と、この空気圧縮部で圧縮した空気を消音器
を通して空気送出部から前記マットレス内の空間へ供給する空気通路を備え、前記消音器
にはプラズマ放電によって臭気成分を電気化学的に分解する高電圧放電電極を収納した構
成であり、本発明の実施例を以下に記載する。
【実施例１】
【００１１】
図１は本発明に係る空気吸排気装置とベッド装置の機能説明用の平面図、図２は本発明
に係る空気吸排気装置の内部配置構成を示す平面図、図３は本発明に係る空気吸排気装置
の消音器の内部構成を示す断面図、図４は本発明に係るベッド装置の斜視図、図５は本発
明に係る空気吸排気装置を収納したベッド装置の一部断面図、図６は本発明に係る空気吸
排気装置の空気送出部の空気分配部の正面図である。
【００１２】
本発明の第１発明を図１に基づき説明する。１はベッド装置であり、木製等で構成され
たベッド本体２１の上にベッド用のマットレス２２を載置し、マットレス２２内の空間２
４の空気を吸排気する空気吸排気装置５を備え、空気吸排気装置５は、図２に示すように
、合成樹脂製のケース６内に、マットレス２２内の空間２４の空気を空気吸入口７Ａから
吸い込んで圧縮する空気圧縮部７と、この空気圧縮部７で圧縮した空気を消音器１０を通
して空気送出部８からマットレス２２内の空間２４へ供給する空気通路９を備え、消音器
１０にはプラズマ放電によって臭気成分を電気化学的に分解するよう高電圧発生部１３に
接続した高電圧放電電極１３Ａ、１３Ｂを収納した構成である。また、ケース６内には、
空気圧縮部７の作動を制御する制御部１１と高電圧発生部１３が収納されており、制御部
１１は、絶縁基板に多数の電気部品１１Ａが取り付けられたものである。
【００１３】
消音器１０は、空気圧縮部７の圧縮動作によって生じる空気波動を減少させて、空気送
出部８から送出される空気の脈動とそれによる脈動音を減少させるものである。消音器１
０に収納した高電圧放電電極１３Ａ、１３Ｂは、プラス電極１３Ａとマイナス電極１３Ｂ
の間に高電圧発生部１３から印加される高電圧によってプラズマ放電を生じる。このプラ
ズマ放電によって、消音器１０内の空気の臭い成分が電気分解される仕組みである。高電
圧放電電極１３Ａ、１３Ｂの収納のために、電気的絶縁を考慮して消音器１０は全体が合
成樹脂製であり、高電圧放電電極１３Ａ、１３Ｂは、消音器１０の裏蓋１０Ａに取り付け
た合成樹脂製の電極支持部１４によって所定間隔に保持されている。
【００１４】
マットレス２２は、図５に示すように、クッション性を有する板状の上層体２６Ａとク
ッション性を有する板状の下層体２６Ｂが、空間２４を形成するように多数のスプリング
２５によって支持されて上下並列に配置され、上層体２６Ａと下層体２６Ｂの外面は、ク
ッション性の詰め物２８を有する布製の上下外装体２７、２７によって被われている。そ
して、空間２４の周縁部を被うように、上下外装体２７、２７の周縁端部に結合された布
製の側面被覆３０が設けられ、この側面被覆３０の外面を被うように、上下外装体２７、
２７と同様の構成である側面外装体２９が、上下外装体２７、２７の周縁端部に結合され
た構成である。
【００１５】
空気吸排気装置５は、図４及び図５に示すように、マットレス２２の長手方向の一端部
近傍の空間２４内に、マットレス２２の短辺に沿って収納されている。空気圧縮部７はダ
イヤフラムを電動式に振動させて圧縮空気を送出する周知のエアーコンプレッサ（または
エアーポンプともいう）であり、空気吸入口７Ａから吸い込んだ空気を圧縮して空気送出
口７Ｂから空気通路９を形成するパイプへ送出する。空気通路９へ送出された圧縮空気は
、空気送出部８からマットレス２２内の空間２４へ送出する。
【００１６】
圧縮空気をマットレス２２内の空間２４へ広範囲に送出するために、マットレス２２の
略中央部にマットレス２２の長手方向に送気パイプ２３が配設され、送気パイプ２３の一
端が空気送出部８の空気送出口８Ａ８（図６に示す）に接続され、圧縮空気は、送気パイ
プ２３の長さ方向に間隔を存して送気パイプ２３壁を貫通して形成した多数の送気口２３
Ａから、マットレス２２内の空間２４へ送出される。マットレス２２内の空間２４へ送出
された空気は、空気圧縮部７の空気吸入口７Ａから吸い込まれて、再び空気圧縮部７で圧
縮され、再び上記のようにマットレス２２内の空間２４へ送出される空気循環をする。こ
の循環により、マットレス２２内の空間２４の空気は、消音器１０内でプラズマ放電によ
って臭気成分が電気化学的に分解され、マットレス２２の脱臭が行なわれる。
【００１７】
なお、マットレス２２内の空間２４の広範囲から空気の吸い込みを行うために、図１に
示すように、吸気パイプ２３０をマットレス２２の長手方向の左右端部に沿って配置し、
この吸気パイプ２３０を通して空間２４の空気を空気圧縮部７の空気吸入口７Ａへ吸入す
るようにすればよい。送気口２３Ａと同様に、吸気パイプ２３０には、吸気パイプ２３０
の長さ方向に間隔を存して吸気パイプ２３０の壁を貫通して形成した多数の吸気口（図示
せず）を形成している。
【００１８】
空気圧縮部７を作動させて行う脱臭時間は、制御部１１に接続したコントローラ４に設
けたスイッチ操作によって設定した脱臭時間で行われる。コントローラ４は、使用性を考
慮して持ち運び自在なリモートコントローラで構成している。
【００１９】
次に、本発明に係るベッド装置の第２発明を説明する。第２発明は、第１発明を発展さ
せたものであり、第１発明のように、単にマットレス２２上で休息するに留まらず、人体
のマッサージを行なうことができるようにするために、図４及び図５に示すように、マッ
トレス２２の上にエアーマッサージ用マット２を敷き、このマット２内の複数のエアーバ
ッグ（空気室形成袋）３を膨張収縮させ、マット２の上に横たわった人体のマッサージを
行なうように構成している。
【００２０】
以下、第２発明を図に基づき説明する。上記第１発明と同じ機能部分は上記説明を援用
する。第２発明は、ベッド用のマットレス２２と、マットレス２２の上に敷かれるエアー
マッサージ用のマット２を備え、マットレス２２内の空間２４の空気を吸排気する空気吸
排気装置５を備え、マット２は空気吸排気装置５の動作によって膨張収縮する複数の空気
室３を形成するエアーバッグ（図示のものは、７個のエアーバッグ３Ａ、３Ｂ、３Ｃ、３
Ｄ、３Ｅ、３Ｆ、３Ｇ）が並列配置され、空気吸排気装置５は、合成樹脂製のケース６内
に、マットレス２２内の空間２４の空気を吸い込んで圧縮する空気圧縮部７と、この空気
圧縮部７で圧縮した空気を消音器１０を通して空気送出部８へ供給する空気通路９を備え
、空気送出部８は、複数のエアーバッグ（図示のものは、７個のエアーバッグ３Ａ、３Ｂ
、３Ｃ、３Ｄ、３Ｅ、３Ｆ、３Ｇ）へ圧縮空気を分配する空気分配部８Ａと、空気圧縮部
７で圧縮した空気を空気分配部８Ａを通してこの複数のエアーバッグを選択的に供給しま
たこの複数のエアーバッグから選択的に排気する切り替えバルブ機能部８Ｂと、空気圧縮
部７の作動と切り替えバルブ機能部８Ｂの作動を制御する制御部１１を備え、消音器１０
にはプラズマ放電によって臭気成分を電気化学的に分解する高電圧放電電極１３Ａ、１３
Ｂが収納され、空気吸排気装置５の動作によって、複数のエアーバッグ（図示のものは、
７個のエアーバッグ３Ａ、３Ｂ、３Ｃ、３Ｄ、３Ｅ、３Ｆ、３Ｇ）の膨張収縮作用と、マ
ットレス２２内の空気の脱臭作用とが共に動作状態にある第１モードと、複数のエアーバ
ッグ（図示のものは、７個のエアーバッグ３Ａ、３Ｂ、３Ｃ、３Ｄ、３Ｅ、３Ｆ、３Ｇ）
の膨張収縮作用を休止してマットレス２２内の空気の脱臭作用のみを行なう第２モードを
選択可能としたものである。
【００２１】
消音器１０は上記同様に、空気圧縮部７の圧縮動作によって生じる空気波動を減少させ
て、空気送出部８から送出される空気の脈動とそれによる脈動音を減少させるものであり
、上記同様の構成である。また、マットレス２２も上記同様の構成である。
【００２２】
空気送出部８の詳細は、図５に示すように、８個の空気送出口８Ａ１〜８Ａ８を有する
空気分配部８Ａと、この８個の空気送出口のうちの所定のものを選択する切り替えバルブ
機能部８Ｂを備え、切り替えバルブ機能部８Ｂは電動機部８Ｃによって作動する。空気分
配部８Ａの８個の空気送出口のうちの７個の空気送出口８Ａ１〜８Ａ７には、それぞれエ
アーバッグ３Ａ、３Ｂ、３Ｃ、３Ｄ、３Ｅ、３Ｆ、３Ｇの空気入口に接続された送気パイ
プ１２Ａ、１２Ｂ、１２Ｃ、１２Ｄ、１２Ｅ、１２Ｆ、１２Ｇが接続されている。また、
残りの空気送出口８Ａ８は、上記同様に、マットレス２２の略中央部にマットレス２２の
長手方向に配設した送気パイプ２３に接続されて、空気圧縮部７で圧縮された圧縮空気が
、マットレス２２内の空間２４へ送出される。また、マットレス２２内の空間２４の空気
は、上記同様の構成によって、空気圧縮部７の空気吸入口７Ａから吸い込まれて、再び空
気圧縮部７で圧縮され、再び空気送出口７Ｂから空気通路９へ送出し、上記のようにマッ
トレス２２内の空間２４へ送出される空気循環をする。
【００２３】
マット２は、図５に示すように、発泡ポリウレタン等のクッション材から構成した弾性
シートを布製の表カバーで被った長方形状のマット基体２Ｂの上に、マット基体２Ｂの長
手方向に複数の独立した空気室３が形成されるように、各空気室３を形成するエアーバッ
グ３Ａ、３Ｂ、３Ｃ、３Ｄ、３Ｅ、３Ｆ、３Ｇが並列配置された構成である。図示した空
気室３は、外面が布材で被われた７個の独立したエアーバッグ３Ａ、３Ｂ、３Ｃ、３Ｄ、
３Ｅ、３Ｆ、３Ｇで構成しているが、この数は設計によって定めればよい。
【００２４】
マットレス２２は、図５に示すように、上記同様の構成である。また、空気吸排気装置
５は、上記同様に、図４及び図５に示すように、マットレス２２の長手方向の一端部近傍
の空間２４内に、マットレス２２の短辺に沿って収納されている。上記のような空気循環
を行なうために、空気送出口８Ａ１〜８Ａ７とエアーバッグ３Ａ、３Ｂ、３Ｃ、３Ｄ、３
Ｅ、３Ｆ、３Ｇの空気入口を接続する送気パイプ１２Ａ、１２Ｂ、１２Ｃ、１２Ｄ、１２
Ｅ、１２Ｆ、１２Ｇは、マット２内またはマット２の下部に配置された部分１２１と、空
気吸排気装置５から延びる部分１２０とに分離され、マット２側の部分１２１のコネクタ
１２１Ａと、空気吸排気装置５側の部分１２０のコネクタ１２０Ａとが、着脱可能に接続
される構成である。
【００２５】
空気吸排気装置５の動作は、制御部１１に接続したコントローラ４に設けたスイッチ操
作によって行われる。その一つは、複数のエアーバッグ（図示のものは、７個のエアーバ
ッグ３Ａ、３Ｂ、３Ｃ、３Ｄ、３Ｅ、３Ｆ、３Ｇ）の膨張収縮作用と、マットレス２２内
の空気の脱臭作用とが共に動作状態にある第１モードの選択であり、もう一つは、複数の
エアーバッグ（図示のものは、７個のエアーバッグ３Ａ、３Ｂ、３Ｃ、３Ｄ、３Ｅ、３Ｆ
、３Ｇ）の膨張収縮作用を休止してマットレス２２内の空気の脱臭作用のみを行なう第２
モードの選択である。
【００２６】
上記第１モードでの一つの作用は、コントローラ４に設けたスイッチ操作による第１モ
ードの選択に基づき、制御部１１の動作によって行なわれる。即ち、選択された作動モー
ドに従ってステッピングモータ式の電動機部８Ｃが動作し、切り替えバルブ機能部８Ｂが
回動して、空気通路９から供給される圧縮空気が空気送出口８Ａ１〜８Ａ７のいずれかに
供給され、また空気送出口８Ａ１〜８Ａ７のいずれかが空気排出口９９に接続される動作
によって、複数のエアーバッグ（図示のものは、７個のエアーバッグ３Ａ、３Ｂ、３Ｃ、
３Ｄ、３Ｅ、３Ｆ、３Ｇ）が、順々に膨張収縮するものである。これは、例えば、膨張部
分が３Ａから３Ｂ、３Ｂから３Ｃへと移動するように、３Ａから３Ｇへ向かって膨張部分
が順次移動する関係の膨張収縮作用をすることにより、マット２上に横たわる人体にマッ
サージ作用を行うものである。空気排出口９９からの排気音を減少するために、排気用消
音器１００が取り付けられている。
【００２７】
また、上記第１モードでのもう一つの作用は、空気圧縮部７で圧縮した圧縮空気の一部
が、空気送出口８Ａ８から送気パイプ２３に供給されて、マットレス２２内の空間２４へ
送出され、マットレス２２内の空間２４の空気が、空気圧縮部７の空気吸入口７Ａから吸
い込まれて、再び空気圧縮部７で圧縮され、再び上記のようにマットレス２２内の空間２
４へ送出される空気循環をすることにより、消音器１０内で臭気成分が電気化学的に分解
され、マットレス２２の脱臭が行なわれるものである。このように第１モードでは、二つ
の作用が行なわれる。
【００２８】
また、上記第２モードは、複数のエアーバッグ（図示のものは、７個のエアーバッグ３
Ａ、３Ｂ、３Ｃ、３Ｄ、３Ｅ、３Ｆ、３Ｇ）の膨張収縮作用を休止して、マットレス２２
内の空気の脱臭作用のみを行なうものであり、このモード選択は、コントローラ４に設け
たスイッチ操作による第２モードの選択に基づき、制御部１１の動作によって行なわれる
。この第２モードでは、空気圧縮部７で圧縮した圧縮空気は、空気送出口８Ａ１〜８Ａ７
から供給されされないように電動機部８Ｃが動作して切り替えバルブ機能部８Ｂが動作す
る。一方、空気圧縮部７で圧縮した圧縮空気は、空気送出口８Ａ８から送気パイプ２３に
供給されて、マットレス２２内の空間２４へ送出され、マットレス２２内の空間２４の空
気が空気圧縮部７の空気吸入口７Ａから吸い込まれて、再び空気圧縮部７で圧縮され、再
び上記のようにマットレス２２内の空間２４へ送出される空気循環をする。これによって
、消音器１０内で臭気成分が電気化学的に分解され、マットレス２２の脱臭が行なわれる
ものである。
【００２９】
上記のように、第１発明では、消音器１０にプラズマ放電によって臭気成分を電気化学
的に分解する高電圧放電電極１３Ａ、１３Ｂを収納したことにより、マットレス２２内の
空間の空気脱臭によって、マットレス２２の脱臭が行なえるため、快適なマットレス状態
に維持できる。また、消音器１０を利用するため、他の空気部分に高電圧放電室を形成す
る場合に比して、装置の小型化とコストダウンを図ることができると共に、空気吸排気装
置５の安定した動作が保たれるものとなる。
【００３０】
また、第２発明では、第１発明の作用効果に加えて、単一の空気吸排気装置５によって
、複数のエアーバッグ（図示のものは、７個のエアーバッグ３Ａ、３Ｂ、３Ｃ、３Ｄ、３
Ｅ、３Ｆ、３Ｇ）の膨張収縮作用と、マットレス２２内の空気の脱臭作用とが共に動作状
態にある第１モードと、複数のエアーバッグの膨張収縮作用を休止してマットレス２２内
の空気の脱臭作用のみを行なう第２モードとが選択可能であり、使用性が向上した新規の
ベッド装置１を提供できる。また、複数のエアーバッグの膨張収縮作用と、マットレス２
２内の空気の脱臭作用とが、単一の空気吸排気装置５によって行なわれるため、ベッド装
置１の小型化とコスト抑制効果が得られるものとなる。
【産業上の利用可能性】
【００３１】
本発明は上記実施例に示した構成に限定されず、種々の形態のベッド装置に適用できる
ものであり、本発明の技術範囲において種々の形態を包含するものである。
【図面の簡単な説明】
【００３２】
【図１】本発明に係る空気吸排気装置とベッド装置の機能説明用の平面図である。
【図２】本発明に係る空気吸排気装置の内部配置構成を示す平面図である。
【図３】本発明に係る空気吸排気装置の消音器の内部構成を示す断面図である。
【図４】本発明に係るベッド装置の斜視図である。
【図５】本発明に係る空気吸排気装置を収納したベッド装置の一部断面図である。
【図６】本発明に係る空気吸排気装置の空気送出部の空気分配部の正面図である。
【符号の説明】
【００３３】
１・・・・ベッド装置
２・・・・エアーマッサージ用マット
３・・・・空気室
３Ａ〜３Ｇ・・・・エアーバッグ
４・・・・コントローラ
５・・・・空気吸排気装置
６・・・・ケース
７・・・・空気圧縮部
７Ａ・・・空気吸入口
８・・・・空気送出部
８Ａ・・・空気分配部
８Ａ１〜８Ａ８・・・空気送出口
８Ｂ・・・切り替えバルブ機能部
８Ｃ・・・電動機部
９・・・・空気通路
１０・・・消音器
１１・・・制御部
１２Ａ〜１２Ｇ・・・送気パイプ
１３・・・高電圧発生部
１３Ａ、１３Ｂ・・・高電圧放電電極
２２・・・ベッド用マットレス
２４・・・マットレス内の空間
１２０Ａ・・・空気吸排気装置側の部分のコネクタ
１２１Ａ・・・マット側の部分のコネクタ
【図１】
2009279307.tif 000003
【図２】
2009279307.tif 000004
【図３】
2009279307.tif 000005
【図４】
2009279307.tif 000006
【図５】
2009279307.tif 000007
【図６】
2009279307.tif 000008